(57)【要約】      （修正有）【課題】河川内での作業リスクを小さくできると共に、捕捉した放射性物質の剥落を抑制して放射性物質の回収率を改善できる河川用捕捉装置を提供する。【解決手段】スケルトン構造の据付フレーム２０と、カートリッジ式の捕捉パネル３０とを具備する。据付フレームは捕捉パネルを起立状態で保持する直方枠２１と、直方枠の上面に着脱可能に取り付けられ、縦置きした単数又は複数の捕捉パネルを保持する位置決め材２８とを有し、捕捉パネルは一対の保持枠３１と、保持枠の間に介装した剛性網付きの吸着シート３３と、一対の保持枠の連結手段とを具備する。据付フレーム内に捕捉パネルを着脱可能に縦置きし、流水方向に対して交差方向に配置した捕捉パネルにより放射性物質を吸着する。捕捉パネルの単位で交換が可能である。【選択図】図２
0003210255.tif 000002
【実用新案登録請求の範囲】
【請求項１】
水中の放射性物質を捕捉する河川用捕捉装置であって、
スケルトン構造の据付フレームと、
前記据付フレームの横断方向に着脱可能に横架したカートリッジ式の単数又は複数の捕捉パネルとを具備することを特徴とする、
河川用捕捉装置。
【請求項２】
前記据付フレームは捕捉パネルを起立状態で保持する直方枠と、直方枠の上面に着脱可能に取り付けられ、縦置きした単数又は複数の捕捉パネルを保持する位置決め材とを有することを特徴とする、請求項１に記載の河川用捕捉装置。
【請求項３】
前記直方枠の相対向する側板には、捕捉パネルの両側の上端部を収容可能な上向きのスリットが形成されていることを特徴とする、請求項２に記載の河川用捕捉装置。
【請求項４】
前記位置決め材には、捕捉パネルの上辺を収容可能な下向きのスリットが形成されていることを特徴とする、請求項２に記載の河川用捕捉装置。
【請求項５】
前記捕捉パネルは一対の保持枠と、保持枠の間に介装した剛性網付きの吸着シートと、一対の保持枠の連結手段とを具備することを特徴とする、請求項１乃至４の何れか一項に記載の河川用捕捉装置。
【請求項６】
前記据付フレームは底面に複数のスパイクを有することを特徴とする、請求項１又は２に記載の河川用捕捉装置。
【考案の詳細な説明】
【技術分野】
【０００１】
本考案は河床に設置して放射性物質を捕捉する河川用捕捉装置に関するものである。
【背景技術】
【０００２】
原子力発電所の爆発事故に伴い、飛散した放射性物質の早期捕集の要望に応えるべく、半減期が非常に長い放射性セシウム（137Ｃｓ）を吸着して捕集することが試行されている。
放射性セシウムの捕捉手段としては、通水性の袋体に塊状又は塊状の吸着材を収容した捕捉材が特許文献１，２等に開示されていて、この種の袋タイプの捕捉材は主に陸上で用いられるものであり、水没させて使用する河川用途には不向きである。
【０００３】
一方、河川用としては、方形の篭体に栗石を中詰めした布団篭と、紙にゼオライト等の吸着材を大量に担持させた捕捉シートを組み合せた捕捉装置が試行されている。
この捕捉装置は河床に間隔を隔てて布団篭を敷設し、布団篭の間に形成された捕捉空間内に捕捉シートを束ねた状態で設置している。
捕捉シートは単独での自立が困難なため、栗石の間に挟み込む等して自立させている。
河川用の捕捉装置では放射性物質イオンを捕捉シートに吸着させることで捕捉し、定期的に捕捉シートを交換している。
【先行技術文献】
【特許文献】
【０００４】
【特許文献１】特開２０１３−１６０５１７号公報
【特許文献２】実用新案登録第３１７０５７４号公報
【考案の概要】
【考案が解決しようとする課題】
【０００５】
従来の河川用の捕捉装置にあってはつぎのような解決すべき課題がある。
＜１＞捕捉装置を河川に設置するには、河床の整地工、篭体の組み立て敷設工、栗石の中詰工、栗石を間に挟んだ捕捉シートの敷設工といった多くの作業工程が必要であり、捕捉装置の設置に多くの作業時間と労力を要する。
＜２＞捕捉シートを交換する場合には、捕捉装置を解体した後に捕捉装置の再組立てを行っているために、作業時間と労力が倍増する。
＜３＞捕捉装置の設置作業や捕捉シートの交換作業を行う際には、作業者は長時間に亘る入水作業を強いられる。
放射性物質が存在する過酷な環境下においては、作業者の安全性確保が難しく、河川内での作業リスクを小さくできる対応技術の提案が望まれている。
＜４＞捕捉シート単独では自立できずに自由な撓み変形をする。
そのため、捕捉シートの交換時においては、捕捉シートが変形して捕捉した放射性物質が剥落して、捕集した放射性物質の回収率が低くなる。
【０００６】
本考案は以上の点に鑑みて成されたもので、その目的とするところは、捕捉装置の設置だけでなく維持管理に要する作業時間を大幅に短縮して河川内での作業リスクを小さくできる河川用捕捉装置を提供することにある。
さらに本考案の他の目的は、捕捉した放射性物質の剥落を抑制して放射性物質の回収率を改善できる河川用捕捉装置を提供することにある。
【課題を解決するための手段】
【０００７】
本考案は、水中の放射性物質を捕捉する河川用捕捉装置であって、スケルトン構造の据付フレームと、前記据付フレームの横断方向に着脱可能に横架したカートリッジ式の単数又は複数の捕捉パネルとを具備する。
本考案の他の形態において、前記据付フレームは捕捉パネルを起立状態で保持する直方枠と、直方枠の上面に着脱可能に取り付けられ、縦置きした単数又は複数の捕捉パネルを保持する位置決め材とを有する。
本考案の他の形態において、前記直方枠の相対向する側板には、捕捉パネルの両側の上端部を収容可能な上向きのスリットが形成されている。
本考案の他の形態において、前記位置決め材には、捕捉パネルの上辺を収容可能な下向きのスリットが形成されている。
本考案の他の形態において、前記捕捉パネルは一対の保持枠と、保持枠の間に介装した剛性網付きの吸着シートと、一対の保持枠の連結手段とを具備する。
本考案の他の形態において、前記据付フレームは底面に複数のスパイクを有する。
【考案の効果】
【０００８】
本考案はつぎの効果を奏する。
＜１＞捕捉装置の設置作業時間だけでなく、捕捉パネルの交換作業時間も大幅に短縮できるので、河川内における作業リスクを非常に小さくすることができる。
＜２＞捕捉パネルの吸着シートが変形不能に保持されているので、抜き取った捕捉パネルからの放射性物質の剥落を抑制できる。
そのため、捕捉した放射性物質の回収率が格段に高くなる。
【図面の簡単な説明】
【０００９】
【図１】本考案に係る捕捉装置の全体斜視図
【図２】捕捉装置の分解組立図
【図３】捕捉パネルの組立断面図
【図４】河床に設置した捕捉装置の中央断面図
【考案を実施するための形態】
【００１０】
以下に図面を参照しながら本考案を詳細に説明する。
【００１１】
＜１＞捕捉装置の概要
図１，２を参照して説明すると、本考案に係る捕捉装置１０は、直方体形を呈するスケルトン構造の据付フレーム２０と、据付フレーム２０の横断方向に着脱可能に横架したカートリッジ式の単数又は複数の捕捉パネル３０とを具備する。
以下に本例で例示した捕捉装置１０について詳述する。
【００１２】
＜２＞据付フレーム
据付フレーム２０は捕捉パネル３０を起立状態で保持する枠体であり、流水方向に沿って開口した直方体形の直方枠２１と、直方枠２１の上面に設置する単数又は複数の位置決め材２８とを有する。
据付フレーム２０は耐腐食性、運搬性、取扱い性等を考慮すると、例えばステンレス素材やアルミ素材の軽量素材で製作することが望ましいが、メッキ処理を施した各種の金属素材や樹脂素材で製作してもよい。
【００１３】
＜２．１＞直方枠
直方枠２１は左右一対の側板２１ａ，２１ａと、側板２１ａ，２１ａの四つ角間に連結したアングル材等の複数の横材２１ｂと、底部の横材２１ｂ，２１ｂの間に連結した縦材２１ｃとを直方体形に組み合せた剛性の枠体である。
【００１４】
＜２．１．１＞スリット
相対向する一対の側板２１ａ，２１ａの上部には上向きのスリット２２が開設されていて、スリット２２に捕捉パネル３０の両側の上端部を収容して捕捉パネル３０を直方枠２１内に縦置きすることが可能である。
【００１５】
＜２．１．２＞下部位置決め部
図４を参照して説明すると、直方枠２１の底部に位置する縦材２１ｃの上面には、捕捉パネル３０の下辺を収容して位置決め可能な一対の起立板で構成される下部位置決め部２１ｄが形成されている。
下部位置決め部２１ｄは必須ではなく、省略される場合もある。
【００１６】
＜２．１．３＞スパイク
直方枠２１の底面には断面が山形を呈する単数又は複数のスパイク２３が突設してある。
河床Ｇが礫石質状態であることを考慮すると、スパイク２３は直方枠２１の底部の横断方向に沿って連続して設けておくことが望ましい。
【００１７】
＜２．１．４＞据付け手段
直方枠２１の底部の前後には水平方向に向けて矩形の張出板２４と、据付ブラケット２５が一体に設けられている。張出板２４と据付ブラケット２５には固定ピン２７を打込み可能なピン穴２４ａ，２５ａが設けてある。
張出板２４と側板２１ａとの間は略三角形の補強板２６で補強されている。
捕捉装置１０は複数の固定ピン２７の打込みにより河床Ｇに据付け可能である。
【００１８】
＜２．１．５＞取っ手
必要に応じて側板２１ａの一部には取っ手２９を設け、取っ手２９を介して据付フレーム２０を持ち運び可能に構成してもよい。
【００１９】
＜２．２＞位置決め材
位置決め材２８は捕捉パネル３０の離脱を防止しつつ、捕捉パネル３０を保持する部材であり、直方枠２１の上部を縦断可能な全長を有する断面Ｌ字形のアングル材等で構成される。
位置決め材２８は水平部の両端にボルト孔２８ａが開設されていて、直方枠２１の上部に着脱自在にボルト止めされる。
位置決め材２８の垂直部には、捕捉パネル３０の配置位置に合せて下向きのスリット２８ｂが開設してあり、スリット２８ｂは捕捉パネル３０の上辺を収容可能である。
【００２０】
＜３＞捕集パネル
図３を参照して説明すると、捕捉パネル３０は横長の長方形を呈する一対の保持枠３１，３１と、保持枠３１，３１の間に介装した剛性網３２付きの吸着シート３３と、一対の保持枠３１，３１の連結手段とを具備した透水性を有するカートリッジ体であり、予め一体に組付けられている。
捕捉パネル３０は吸着シート３３を流水上流側へ向けて使用する。
【００２１】
＜３．１＞保持枠
保持枠３１は長方形の輪郭形を呈する枠体であり、その上部両端に張出顎３１ａが外方へ向けて水平に張り出ている。捕捉パネル３０は張出顎３１ａを側板２１ａ，２１ａのスリット２２に差し込むことで直方枠２１に取り付け可能である。
【００２２】
＜３．２＞剛性網
剛性網３２は吸着シート３３に自立性を付与する透水性のメッシュ材であり、例えば溶接金網やクリンプ金網等を使用できる。
【００２３】
＜３．３＞吸着シート
吸着シート３３は紙又は不織布等にゼオライトや炭等の吸着材を担持させた公知の放射性物質吸着シートであり、複数枚を積層して使用する。
本例では一対の保持枠３１，３１の連結手段はボルト止め手段である場合について説明するが、ボルト以外の公知の連結手段を適用してもよい。
捕捉パネル３０を製作するには、剛性網３２と吸着シート３３の積層体を一対の保持枠３１，３１の間に挟み込み、複数のボルト３４、ナット３４を螺着して固定する。
【００２４】
［捕捉装置の組立て方法］
図２を参照して捕捉装置１０の組立て方法について説明する。
【００２５】
＜１＞捕捉パネルの差し込みセット
直方枠２１の上方から捕捉パネル３０を落とし込み、捕捉パネル３０の張出顎３１ａを側板２１ａ，２１ａに開設されたスリット２２に収容することで単数又は複数の捕捉パネル３０を縦置きする。
この際、捕捉パネル３０の下辺を図４に示した下部位置決め部２１ｄに収容して位置決めする。
【００２６】
＜２＞捕捉パネルの固定
直方枠２１の上部に位置決め材２８を取付けボルトで固定する。
この際、捕捉パネル３０の下向きのスリット２８ｂを捕捉パネル３０の上辺に挟み込んで位置決めする。
【００２７】
以上説明したように直方枠２１内に捕捉パネル３０を差し込み、位置決め材２８を固定するだけの簡単な作業で以て捕捉装置１０を短時間のうちに組立てできる。
【００２８】
［捕捉装置の使用方法］
図４を参照して捕捉装置１０の使用方法について説明する。
【００２９】
＜１＞河床への設置
捕捉パネル３０が流水方向と交差するようにして捕捉装置１０を河床Ｇに着床させた後、複数の固定ピン２７を打込んで固定する。
この際、捕捉装置１０の底部を河床Ｇに押し付けてスパイク２３を食い込ませる。
捕捉装置１０の着床作業は人力で行ってもよいが、クレーン車等を用いて機械的に吊り込んでもよい。
作業者は河床Ｇに着床させた捕捉装置１０を固定ピン２７で固定するだけであるから、極めて短い入水作業時間で済むため、捕捉装置１０を安全に設置できる。
【００３０】
＜２＞捕捉作用
捕捉装置１０内に流入した河川水が透水性を有する捕捉パネル３０を透過して流下する。この際、捕捉パネル３０の吸着シート３３によって放射性物質が捕捉される。
捕捉パネル３０の全面に水圧がかかるが、捕捉パネル３０を構成する保持枠３１と剛性網３２の剛性により吸着シート３３の変形を防止している。
【００３１】
＜３＞捕捉パネルの交換
捕捉パネル３０を交換する場合は、直方枠２１の上部の位置決め材２８を取り外し、捕捉パネル３０を抜き取った後に新たな捕捉パネル３０と入れ替える。
捕捉パネル３０は吸着シート３３が変形不能に保持されているので、抜き取った捕捉パネル３０からの放射性物質の剥落を抑制できるため、捕捉した放射性物質の回収率が格段に高くなる。
捕捉パネル３０の交換時においては、直方枠２１を河床Ｇに据え付けたまま、カートリッジ式の捕捉パネル３０のみを差替えるだけであるから、作業者の入水作業時間が短くて済み、作業者の作業リスクが大幅に低くなる。
【符号の説明】
【００３２】
Ｇ・・・・・・河床
１０・・・・・捕捉装置
２０・・・・・据付フレーム
２１・・・・・直方枠
２１ａ・・・・側板
２１ｂ・・・・横材
２１ｃ・・・・縦材
２１ｄ・・・・下部位置決め部
２２・・・・・上向きのスリット
２３・・・・・スパイク
２４・・・・・張出板
２４ａ・・・・ピン穴
２５・・・・・据付ブラケット
２５ａ・・・・ピン穴
２６・・・・・補強板
２７・・・・・固定ピン
２８・・・・・位置決め材
２９・・・・・取っ手
３０・・・・・捕捉パネル
３１・・・・・保持枠
３２・・・・・剛性網
３３・・・・・吸着シート
【図１】
0003210255.tif 000003
【図２】
0003210255.tif 000004
【図３】
0003210255.tif 000005
【図４】
0003210255.tif 000006